(57)【要約】【課題】航空機等の座席に配置される表示機器の取付けにおいて、乗客に食事を供給するときに使用するテーブルとの配置で、表示機器を大型化できにくい、テーブルがあるので、表示機器を目線より下に設置しにくいとの問題を解決し、使いやすい、見やすい表示機器、テーブルを供給することを目的とする。【解決手段】テーブル１２の中央をくり抜き、表示機器１１を設置し、表示機器１１の回動の支軸１３をテーブル１２に設置することにより、表示機器の大型化を図り、設置位置を下げることも併せて行うことが可能である。【選択図】図１
2005334307.tif 000002
【特許請求の範囲】
【請求項１】
映像情報を表示する表示機器と、
前記表示機器を保持する支軸と、
前記支軸に契合して表示機器の姿勢を保つ緩衝部材と、
前記緩衝部材を保持し、乗客が飲食するトレイを載置するテーブル部材と、
前記テーブル部材を保持する椅子アーム部材と、
前記椅子アーム部材を取付け、乗客が腰掛ける椅子と、
で構成され、
乗客が飲食するときには前記椅子アーム部材に保持され、乗客側に倒して乗客に飲食を提供する前記テーブル部材を提供し、乗客が映像情報を楽しむときには、前記表示機器を、前記支軸周りに回動させ、乗客の見やすい角度に前記緩衝部材で保持するように構成したことを特徴とする表示機器取り付け装置。
【請求項２】
前記支軸に契合して表示機器の姿勢を保つ前記緩衝部材を直接前記椅子アーム部材に取付け、前記テーブル部材の支軸と別に構成したことを特徴とする請求項１記載の表示機器取付け装置。
【請求項３】
前記テーブル部材を２つ折れ構造としたことを特徴とする請求項１記載の表示機器取付け装置。
【請求項４】
前記表示機器と、
前記支軸と前記緩衝部材からなるチルト機構と、
を前記椅子に直接取付け、表示機器部分をくり抜いたテーブルを前記椅子アーム部材に取付けたことを特徴とする請求項１記載の表示機器取付け装置。
【請求項５】
前記テーブル部材の穴部に契合するトレイを用いることを特徴とする請求項１記載の表示機器取付け装置。
【発明の詳細な説明】
【技術分野】
【０００１】
本発明は、音声、画像、データを乗客に提供する航空機、鉄道、船舶、球場、劇場等の情報提供機器に関するものである。
【背景技術】
【０００２】
従来、表示機器取付け装置は、以下に記載されたものが知られている。
【０００３】
図５に従来の表示機器取付け装置を示しており、表示機器取付け装置は、表示機器１０１、チルト支軸１０２、チルトメカフレーム１０３、チルトメカベース１０４で構成され、乗客用座席１０１に取り付けられている。
【０００４】
図６に、航空機シートへ取付け構成を示しており、乗客用座席１０５には、乗客に食事を供給するトレイ１０６を載置するテーブル１０７、テーブルを支持する支軸１０８、支軸１０８を保持し、乗客用座席１０５に取り付けられているアーム１０９で構成されている。
【０００５】
乗客は、乗客用座席１０５に座って、中央処理装置（図示せず）から中継装置（図示せず）を通って、座席端末（図示せず）で各座席に分配された、映像情報を操作装置（図示せず）で番組選択し、表示機器１０１で視聴する。
【０００６】
このとき、乗客は、見やすい角度に表示機器１０１の上部、下部を押して、チルト支軸１０２回りに、表示装置１０１を回動させて映画、インターネット、機内販売情報を視聴し、利用する。
【０００７】
乗客が飲食のときは、テーブル１０７を乗客側に、ラッチ（図示せず）をはずして、回動させ、その上にアテンダントから供給される飲み物、食事を載せたトレイ１０６を載置して、飲食を行う。
【０００８】
しかしながら図５に見られるように、表示機器１０１とテーブル１０７を乗客用座席１０５の背面に設置しなければならず、表示機器１０１を座席幅以上まで大きく出来ず、小型の表示機器で我慢するしかなかった。また表示機器１０１をテーブル１０７の上部に配置する関係で、表示機器が乗客から見て水平より上方にしか設置できず、くつろいで視聴できにくいという問題が発生していた。
【特許文献１】特開平８−２６３９７６号公報
【発明の開示】
【発明が解決しようとする課題】
【０００９】
この表示機器取付け装置においては、表示機器の大型化、乗客の見やすい角度への設置、飲み物提供時の簡易テーブルが要求されている。
【００１０】
しかしながら、従来の表示機器取付け装置では、表示機器とテーブル配置場所がほぼ同じ場所になるので、表示機器を小型にせざるを得ず、水平か、見上げる角度にしか設置できなかった。
【００１１】
本発明は、表示機器取付け装置がテーブルサイズに影響されにくく、航空機、鉄道、船内への表示機器の大型化、見やすい表示機器取付け装置を目的とする。
【課題を解決するための手段】
【００１２】
本発明の請求項１に記載の発明は、映像情報を表示する表示機器と、前記表示機器を保持する支軸と、前記支軸に契合して表示機器の姿勢を保つ緩衝部材と、前記緩衝部材を保持し、乗客が飲食するトレイを載置するテーブル部材と、前記テーブル部材を保持する椅子アーム部材と、前記椅子アーム部材を取付け、乗客が腰掛ける椅子と、で構成され、乗客が飲食するときには前記椅子アーム部材に保持され、乗客側に倒して乗客に飲食を提供する前記テーブル部材を提供し、乗客が映像情報を楽しむときには、前記表示機器を、前記支軸周りに回動させ、乗客の見やすい角度に前記緩衝部材で保持するように構成したことを特徴とする表示機器取り付け装置としたものであり、表示機器を大型化でき、目線より下に設置位置を下げて設置できるという作用を有する。
【００１３】
請求項２に記載の発明は、前記支軸に契合して表示機器の姿勢を保つ前記緩衝部材を直接前記椅子アーム部材に取付け、前記テーブル部材の支軸と別に構成したことを特徴とする請求項１記載の表示機器取付け装置としたものであり、テーブルの回動に関係なく表示機器を設置できるという作用を有する。
【００１４】
請求項３に記載の発明は、前記テーブル部材を２つ折れ構造としたことを特徴とする請求項１記載の表示機器取付け装置としたものであり、収納時のスペースを削減した作用をもつ。
【００１５】
請求項４に記載の発明は、表示機器と、前記支軸と前記緩衝部材からなるチルト機構と、を前記椅子に直接取付け、表示機器部分をくり抜いたテーブルを前記椅子アーム部材に取付けたことを特徴とする請求項１記載の表示機器取付け装置としたものであり、テーブルの回動に表示機器のチルト角度が左右されないという作用をもつ。
【００１６】
請求項５に記載の発明は、前記テーブル部材の穴部に契合するトレイを用いることを特徴とする請求項１記載の表示機器取付け装置としたものであり、飲食時にトレイがテーブルからずれないという作用を有する。
【発明の効果】
【００１７】
以上のように本発明によれば、乗客の座席幅近くまで表示装置を大型化でき、設置位置を目線より下に配置できるので見やすくなる。また、テーブルを２分割して折り曲げることにより、飲料のみの置き台として使用することも可能になり、非常に使いやすい表示機器取付け装置を供給できる。さらには、表示機器の周囲をテーブルで囲むことになるので、乗客の緊急時での、頭部打撃への緩衝効果が得られる。
【００１８】
また、従来別に構成していたチルトメカをテーブル保持構造と一体にしたので、部品点数削減、表示機器取付けコスト削減にも貢献できる。
【発明を実施するための最良の形態】
【００１９】
以下、本発明の実施の形態について、図１から図４を用いて説明する。
【００２０】
（実施の形態１）
図１に本発明の表示機器取付け装置の第１の構成を示しており、乗客用座席１０、表示機器１１、テーブル１２、テーブル支軸１３、支軸に契合した緩衝部材１４、アーム１５で構成されている。
【００２１】
乗客は、乗客用座席１０に座って、中央処理装置（図示せず）から中継装置（図示せず）を通って、座席端末（図示せず）により各座席に分配された映像情報を表示機器１１上のタッチパネルを操作して番組選択し、音声は手元装置（図示せず）にヘッドホン（図示せず）を接続して視聴する。
【００２２】
このとき、乗客は、見やすい角度に表示機器１１の上部を押す、または引いて、支軸１３回りに、表示装置１１を回動させて映画、インターネット、機内販売情報を視聴し、利用する。なお詳細に図示されていないが、表示装置１１を回動させる回転軸でもある支軸１３に契合して表示機器１１の姿勢を乗客の見やすい角度に設定し、かつその姿勢を保持する緩衝部材（ダンパー）１４が表示装置１１の支軸周辺部に設置されていることを付記しておく。緩衝部材は板バネとねじ、ナットで回転に摩擦を与えるもの、または軸外周に高粘度のグリスを注入して、回転に抵抗を与えるもの、または巻きバネで摩擦を与えるもので構成されている。
【００２３】
図２に本発明の表示機器取付け装置の第２の構成を示しており、乗客が食事のときは、テーブル１２を乗客側に、ラッチ（椅子にテーブルを収納、保持する、図示せず）をはずして、テーブル１２（本図は２分割しているが、一体でもいいことは言うまでもない）を回動させ、その上にアテンダントから供給される飲み物、食事を載せた、トレイ１６を載置して、飲食を行う。
【００２４】
図３に２分割したテーブルの表示機器取付け装置の第３の構成を示しており、乗客が飲物を飲むときには、テーブル１２を２分割しているときは、半分のコップ受け面１７だけでコップ１６を載置するように構成することもでき、左右の乗客の移動時にも支障がなくなるという利点がある。
【００２５】
これにより、乗客の座席幅近くまで表示装置を大型化でき、設置位置を目線より下に配置できるので見やすくなる。また、テーブルを２分割して折り曲げ、上面にコップのためのくぼみを設けることにより、飲料のみの置き台として使用することも可能になり、非常に使いやすい表示機器取付け装置を供給できる。さらには、テーブル収納時には、表示機器の周囲をテーブルで囲むことになるので、緊急時での、乗客の頭部打撃への緩衝効果を期待できる。また、表示装置１１の支軸１３、緩衝装置１４を表示装置１１の左右に配置しているので、従来のチルトメカのように、奥行き方向で座席クッションを削ることがなくなり、乗客はクッションのよい座席に着席できる。
【００２６】
図４に表示機器を保持する支軸と、支軸に契合して表示機器の姿勢を保つ緩衝部材を直接椅子アーム部材に取付け、テーブル部材の支軸と別に構成した表示機器取付け装置の第４の構成を示しており、乗客が飲食するときには、テーブル１２を、テーブル支軸１９周りに、乗客側に倒して利用する。映像情報を楽しむときは、表示装置１１を表示装置支軸１８回りに回動させて視聴する。これによりテーブルを利用する時に、表示装置が動くことがなくなるという利点がある。
【００２７】
なお、以上の説明では、テーブルをくり抜いた形で提案しているが、この穴をふさぐスライドテーブルをテーブル内に配置してもいいことは言うまでもない。
【００２８】
食事供給用のトレイは、テーブルの表示機器穴部に対応して、下面に凸部を形成し、トレイ供給用のサービスワゴンの収納部のレール幅と略一致するように構成することによって、テーブルでの保持と、ワゴンでの保持を行うこともできる。
【産業上の利用可能性】
【００２９】
本発明にかかる表示機器の取付け装置は、乗客の座席幅近くまで表示装置を大型化でき、設置を目線よりシテに設置が必要な音声、画像、データを乗客に提供する航空機、鉄道、船舶、球場、劇場等の情報提供機器等の用途にも適用できる。
【図面の簡単な説明】
【００３０】
【図１】本発明の一実施の形態による表示装置取り付け装置の収納形態を示す構成図
【図２】本発明の一実施の形態による表示装置取り付け装置の展開形態を示す構成図
【図３】本発明の一実施の形態による表示装置取り付け装置の展開形態を示す構成図
【図４】本発明の一実施の形態による表示装置取り付け装置の展開形態を示す構成図
【図５】従来の一実施の形態による表示装置取り付け装置の構成図
【図６】従来の一実施の形態による表示装置取り付け装置の展開形態を示す構成図
【符号の説明】
【００３１】
１０  乗客用座席
１１  表示機器
１２  テーブル
１３  支軸
１４  緩衝部材
１５  アーム
１６  トレイ
【図１】
2005334307.tif 000003
【図２】
2005334307.tif 000004
【図３】
2005334307.tif 000005
【図４】
2005334307.tif 000006
【図５】
2005334307.tif 000007
【図６】
2005334307.tif 000008